(57)【要約】【課題】風圧の影響を軽減し、且つ軽量化された通信装置、及びこの通信装置の設置方法を提供する。【解決手段】アンテナを収容する先端部が縮径されたアンテナ収容部２と、通信機を収容する円筒型の通信機収容部３とを設け、アンテナ収容部２と通信機収容部３とを一体的に構成し、支持ポール１０の先端部にアンテナ収容部２及び通信機収容部３を取り付けるための取付部４を設ける。【選択図】  図１
2004201134.tif 000002
【特許請求の範囲】
【請求項１】
アンテナと、該アンテナを介して通信を行う通信機とを有する通信装置であって、
前記アンテナを収容する先端部が縮径されたアンテナ収容部と、
前記通信機を収容する円筒型の通信機収容部と
を有し、
前記アンテナ収容部と前記通信機収容部とが一体的に構成されたことを特徴とする通信装置。
【請求項２】
前記アンテナ収容部及び前記通信機収容部を支持するための支持ポールの先端部に該アンテナ収容部及び該通信機収容部を取り付けるための取付部を有することを特徴とする請求項１に記載の通信装置。
【請求項３】
前記アンテナ収容部及び前記通信機収容部が取り付けられた前記支持ポールを電柱の上部に固定するための固定部を有することを特徴とする請求項１又は２に記載の通信装置。
【請求項４】
前記アンテナ収容部及び前記通信機収容部を電柱の上部に固定するための固定部を有することを特徴とする請求項１に記載の通信装置。
【請求項５】
アンテナと、該アンテナを介して通信を行う通信機と、前記アンテナを収容する先端部が縮径されたアンテナ収容部と、前記通信機を収容する円筒型の通信機収容部とを有し、前記アンテナ収容部と前記通信機収容部とが一体的に構成された通信装置の設置方法であって、
前記アンテナ収容部及び前記通信機収容部を支持するための支持ポールの先端部に該アンテナ収容部及び該通信機収容部を取り付けることを特徴とする通信装置の設置方法。
【請求項６】
前記アンテナ収容部及び前記通信機収容部が取り付けられた前記支持ポールを電柱の上部に固定することを特徴とする請求項５に記載の通信装置の設置方法。
【請求項７】
前記アンテナ収容部及び前記通信機収容部を電柱の上部に固定することを特徴とする請求項５に記載の通信装置の設置方法。
【発明の詳細な説明】
【０００１】
【発明の属する技術分野】
本発明は、アンテナと、このアンテナを介して通信を行う通信機とを有する通信装置及び通信装置設置方法に関する。
【０００２】
【従来の技術】
無線通信によるデータ通信サービスを提供するにあたっては、加入者局と通信を行うための基地局が設けられる。この際、送信機、受信機等からなる通信機と、アンテナとを備える通信装置を屋外に設置する必要がある。
【０００３】
通信装置が備えるアンテナの形状は、これが送受する電波の指向特性により異なり、無指向性電波を送受するための無指向性アンテナとしては、円柱型のオムニアンテナ等が挙げられ、指向性電波を送受するための指向性アンテナとしては、指向方向に開口した椀型のパラボラアンテナ、指向方向の端面が半円柱型となった薄板状のセクタアンテナ等が挙げられる。
【０００４】
このような通信装置を屋外に設置するにあたっては、特に通信装置が指向性アンテナを有する場合は、このアンテナを適切な方向で固定する必要があるため、方向調整機構を有する取付金具が用いられる（例えば、特許文献１参照）。
【０００５】
また、通信装置の屋外設置場所には、建物の屋上、ペントハウスといった建物の屋上に設けられた小構築物の壁面、鉄塔のプラット面等が挙げられる。
【０００６】
【特許文献１】
特開２０００−１３４０１４号公報（第２頁−第３頁、第１図）
【０００７】
【発明が解決しようとする課題】
しかしながら、上記のような通信装置については、以下の解決すべき課題が指摘されている。
準ミリ波帯及び固定無線アクセス（FWA：Fixed Wireless Access）方式を用いてデータ通信サービスを提供する場合、電波の送受信範囲を広く確保する必要があり、通信装置は高いビルや鉄塔に設置されることが多い。そのため、風圧の影響を考慮して、通信装置をより強固に据え付ける必要がある。
【０００８】
また、前述の取付金具の方向調整機構は構造が複雑であり、且つ風圧に対する耐久力を確保するために取付金具の板厚を厚くすることから重量が増加する。このため、施工工程、コスト等の面でサービス提供業者、施工業者等に負担を強いており、低料金でサービスを提供することを困難にしている。
【０００９】
さらに、取付金具の重量の問題から、これらを電柱上部に設置することが非常に困難であるため、通信装置の設置場所が前述の建物の屋上、小構築物の壁面、鉄塔のプラットフォーム等に限られる他、これらの使用料金を支払わなければならない場合もあり、基地局を設置するためのコストがかさみ、結果として、データ通信サービスを低料金で迅速且つ大規模に展開することを困難にしている。
【００１０】
このような事情に鑑み、本発明は、風圧の影響を軽減し、且つ軽量化された通信装置、及びこの通信装置の設置方法を提供することをその目的とする。
【００１１】
【課題を解決するための手段】
請求項１に記載の本発明は、アンテナと、アンテナを介して通信を行う通信機とを有する通信装置であって、アンテナを収容する先端部が縮径されたアンテナ収容部と、通信機を収容する円筒型の通信機収容部とを有し、アンテナ収容部と通信機収容部とが一体的に構成されたことを要旨とする。
【００１２】
請求項１に記載の本発明にあっては、通信装置は、先端部が縮径されたアンテナ収容部と、このアンテナ収容部と一体的に構成された円筒型の通信機収容部とを有する。これにより、風圧の影響を軽減することができる。
【００１３】
請求項２に記載の本発明は、請求項１に記載の発明において、アンテナ収容部及び通信機収容部を支持するための支持ポールの先端部にアンテナ収容部及び通信機収容部を取り付けるための取付部を有することを要旨とする。
【００１４】
請求項２に記載の本発明にあっては、請求項１に記載のアンテナ収容部及び通信機収容部が風圧の影響を軽減するため、取付部の板厚、重量等を低減可能であり、これにより、アンテナ収容部及び通信機収容部を支持ポールの先端に取り付けることが可能となり、電波の送受信範囲を広く確保できる。
【００１５】
請求項３に記載の本発明は、請求項１又は２に記載の発明において、アンテナ収容部及び通信機収容部が取り付けられた支持ポールを電柱の上部に固定するための固定部を有することを要旨とする。
【００１６】
請求項３に記載の本発明にあっては、請求項１に記載のアンテナ収容部及び通信機収容部が風圧の影響を軽減する点と、これに付随して請求項２に記載の取付部の板厚、重量等が低減される点とから、アンテナ収容部及び通信機収容部が取り付けられた支持ポールを電柱の上部に固定することが可能となり、送受信範囲を広く確保できるとともに、低コストで基地局を設けることができる。また、固定部の板厚、重量等も低減される。
【００１７】
請求項４に記載の本発明は、請求項１に記載の発明において、アンテナ収容部及び通信機収容部を電柱の上部に固定するための固定部を有することを要旨とする。
【００１８】
請求項４に記載の本発明にあっては、請求項１に記載のアンテナ収容部及び通信機収容部が風圧の影響を軽減する点から、固定部の板厚、重量等も低減され、これにより、アンテナ収容部及び通信機収容部を電柱の上部に固定することが可能となり、送受信範囲を広く確保できるとともに、低コストで基地局を設けることができる。また、固定部の板厚、重量等も低減される。
【００１９】
請求項５に記載の本発明は、アンテナと、アンテナを介して通信を行う通信機と、アンテナを収容する先端部が縮径されたアンテナ収容部と、通信機を収容する円筒型の通信機収容部とを有し、アンテナ収容部と通信機収容部とが一体的に構成された通信装置の設置方法であって、アンテナ収容部及び通信機収容部を支持するための支持ポールの先端部にアンテナ収容部及び通信機収容部を取り付けることを要旨とする。
【００２０】
請求項５に記載の本発明にあっては、先端部が縮径されたアンテナ収容部と、このアンテナ収容部と一体的に構成された円筒型の通信機収容部とが風圧の影響を軽減するため、アンテナ収容部及び通信機収容部を支持ポールの先端に取り付けることが可能となり、電波の送受信範囲を広く確保できる。
【００２１】
請求項６に記載の本発明は、請求項５に記載の発明において、アンテナ収容部及び通信機収容部が取り付けられた支持ポールを電柱の上部に固定することを要旨とする。
【００２２】
請求項６に記載の本発明にあっては、請求項５に記載のアンテナ収容部及び通信機収容部が風圧の影響を軽減するため、アンテナ収容部及び通信機収容部が取り付けられた支持ポールを電柱に固定することが可能となり、電波の送受信範囲を広く確保できるとともに、低コストで基地局を設けることができる。
【００２３】
請求項７に記載の本発明は、請求項５に記載の発明において、アンテナ収容部及び通信機収容部を電柱の上部に固定することを要旨とする。
【００２４】
請求項７に記載の本発明にあっては、請求項５に記載のアンテナ収容部及び通信機収容部が風圧の影響を軽減するため、アンテナ収容部及び通信機収容部を電柱に固定することが可能となり、電波の送受信範囲を広く確保できるとともに、低コストで基地局を設けることができる。
【００２５】
【発明の実施の形態】
以下、図面を参照して、本発明の通信装置及び設置方法について説明する。
なお、以下の実施の形態は、あくまでも本発明の説明のためのものであり、本発明の範囲を制限するものではない。したがって、当業者であれば、これらの各要素又は全要素を含んだ各種の実施の形態を採用することが可能であるが、これらの実施の形態も本発明の範囲に含まれる。
また、実施の形態を説明するための全図において、同一要素のものは同一符号を付与し、これに関する反復説明は省略する。
【００２６】
図１は、本発明の一実施の形態にかかる通信装置１を示す斜視図である。
通信装置１は、アンテナ収容部２、通信機収容部３、取付部４とを有する。
アンテナ収容部２は、電波透過性を有する材料で製作され、前述の指向性アンテナ、非指向性アンテナといった各種アンテナの内、少なくとも１以上を内部に収容し、先端面が縮径した形状、いわゆるドーム形状あるいは砲弾の弾頭を模した形状を有している。このアンテナ収容部２により、アンテナを風雨、飛来した異物等から保護することが可能となる。
【００２７】
また、通信機収容部３は、アンテナ収容部２の下部に位置し、送信機、受信機等からなる通信機を内部に収容している。また、その形状はアンテナ収容部２の下端と同じ直径を有する円筒型である。
【００２８】
これらのアンテナ収容部２及び通信機収容部３は、一体的に構成され、その形状はいわゆる砲弾型である。この形状により、前述の風圧の影響を軽減することが可能である。
【００２９】
なお、アンテナ収容部２及び通信機収容部３は、はじめから一体的に構成された状態で製造されても良いし、其々を別個に製造し、後に接合しても良い。
【００３０】
本実施の形態におけるアンテナ収容部２の全長は約３０ｃｍであり、通信機収容部３は全長約３０ｃｍ、直径約１５ｃｍである。また、アンテナ収容部２、通信機収容部３、これらに収容されているアンテナ及び通信機の総重量は約７ｋｇである。しかしながら、これに限定されず、全長、直径は、収容されるアンテナ及び通信機のサイズにより適宜変更可能である。
【００３１】
取付部４は、アンテナ収容部２及び通信装置収容部３を支持ポール１０の先端に固定するためのものであり、取付部本体５、螺子６、螺子穴７、及び取付ボルト９からなる。
【００３２】
螺子６、螺子穴７、及び通信機収容部３の底部に設けられた螺子穴８により通信機収容部３と取付部本体４とが固定され、取付ボルト９により取付部本体４と支持ポール１０が固定されることによりアンテナ収容部２及び通信機収容部３が支持ポール１０に固定される。
【００３３】
アンテナ収容部２及び通信機収容部３を支持ポール１０に固定することにより、アンテナ収容部２及び通信機収容部３を高い位置に配置することが可能となり、電波の送受信範囲を広く確保することができ、さらに従来例のように設置場所が制限されることがなく、電柱等の既存の構築物に設置することも可能である。これにより、支持ポール１０の高さに電柱等の高さが加わり、電波の送受信範囲を更に広く確保することが可能となるとともに、低コストで基地局を設けることができる。
【００３４】
また、通信装置１は、図２に示す固定部１３を有する。この固定部１３は、図１のアンテナ収容部２及び通信機収容部３が取り付けられた支持ポール１０を電柱１２の上部に固定するためのものである。
【００３５】
なお、本図においては、支持ポール１０の先端に取り付けられたアンテナ収容部２及び通信機収容部３の記載は省略している。
【００３６】
また、支持ポール１０の側面に側面に設けられた開口部１１は、アンテナ収容部２及び通信機収容部３と、これらを制御するための制御部等（図示せず）とを接続するケーブル等（図示せず）を通すためにある。
【００３７】
図３は、図２に示した固定部１３の分解図である。なお、本図においては、図２に示した電柱１２の記載は省略している。
固定部１３は、図２の電柱１２の形状に合わせて成型され、電柱１２と支持ポール１０の側面の設けられた突出部１４とを挟持するバンド状の固定部本体１５ａ及び１５ｂを有する。
【００３８】
突出部１４、固定部本体１５ａ、及び１５ｂには螺子穴１７が設けられている。これらの螺子穴１７、螺子１６、及びナット１８により支持ポール１０が電柱１２に固定される。
【００３９】
なお、本図においては、固定部１３は、支持ポール１０を電柱に固定する場合を示したが、これに限定されず、図１の通信機収容部３を支持ポール１０を介さずに電柱１２へ直接固定することも可能である。この場合は、通信機収容部３の側面に突出部１４と同様の部材が設けられる。
【００４０】
次に、本発明の一実施の形態にかかる通信装置の設置方法について説明する。
まず、図１に示したアンテナ収容部２及び通信機収容部３と取付部４とが固定され、次に、この取付部４と支持ポール１０の先端部とが固定されることにより、アンテナ収容部２及び通信機収容部３が支持ポール１０に取り付けられる。このようにして支持ポール１０に取り付けられたアンテナ収容部２及び通信機収容部３は、屋上等に設置されるか、図２の電柱１２に固定される。
【００４１】
支持ポール１０に取り付けられたアンテナ収容部２及び通信機収容部３を電柱１２に固定するにあたっては、電柱１２の上部に固定部１３を図３の螺子１６等を完全に締め付けない状態で取り付け、その後、図３の突出部１４を、同じく図３の固定部本体１５と電柱１２の側面との間に差し込み、次に螺子１６等を完全に締め付けることにより、支持ポール１０を電柱１２に固定する。
【００４２】
また、初めに支持ポール１０を電柱１２に固定し、次に何も収容していない通信機収容部３を支持ポール１０に取り付け、その後に通信機を通信機収容部３に収容し、アンテナを収容したアンテナ収容部２を通信機収容部３に取り付けることもできる。
なお、上記のような作業と並行して、通信機収容部３と図示しない制御部等とがケーブル等で接続される。
【００４３】
【発明の効果】
以上のとおり、本発明の通信装置は、先端部が縮径されたアンテナ収容部と、このアンテナ収容部と一体的に構成された円筒型の通信機収容部とを有する構成とした。これにより、風圧の影響を軽減することができる。
【００４４】
また、アンテナ収容部及び通信機収容部が風圧の影響を軽減するため、取付部の板厚、重量等を低減可能であり、これにより、アンテナ収容部及び通信機収容部を支持ポールの先端に取り付けることが可能となり、電波の送受信範囲を広く確保できる。
【００４５】
また、アンテナ収容部及び通信機収容部が風圧の影響を軽減する点と、これに付随して取付部の板厚、重量等が低減される点とから、アンテナ収容部及び通信機収容部が取り付けられた支持ポールを電柱の上部に固定することが可能となり、送受信範囲を広く確保できるとともに、低コストで基地局を設けることができる。さらに、固定部の板厚、重量等も低減される。
【００４６】
また、アンテナ収容部及び通信機収容部が風圧の影響を軽減する点から、固定部の板厚、重量等も低減され、これにより、アンテナ収容部及び通信機収容部を電柱の上部に固定することが可能となり、送受信範囲を広く確保できるとともに、低コストで基地局を設けることができる。さらに、固定部の板厚、重量等も低減される。
【００４７】
また、本発明の通信装置の設置方法は、先端部が縮径されたアンテナ収容部と、このアンテナ収容部と一体的に構成された円筒型の通信機収容部を支持ポールの先端に取り付けるため、電波の送受信範囲を広く確保できる。
【００４８】
また、アンテナ収容部及び通信機収容部を電柱に固定するため、電波の送受信範囲を広く確保することができるとともに、低コストで基地局を設けることができる。
【００４９】
また、アンテナ収容部及び通信機収容部が取り付けられた支持ポールを電柱に固定するため、支持ポールの高さに電柱の高さも加わり、電波の送受信範囲を更に広く確保できるとともに、低コストで基地局を設けることができる。
【００５０】
このように、本発明によれば、風圧の影響を軽減し、且つ軽量化された通信装置、及びこの通信装置の設置方法を提供することが可能となった。これにより、建物の屋上、小構築物の壁面、鉄塔のプラットフォーム等以外の場所に、風圧の影響の軽減化を実現した基地局を設置できる他、取付部、固定部等の板厚、重量等の軽減による部品製造コスト、施工コスト、基地局設置コストといったデータ通信サービスを展開するためのコストを削減することもできる。以上の点から、需要の拡大、ＳＯＨＯ（Small Office Home Office）、マスユーザ等に対応した低料金のサービスを提供可能となる。
【図面の簡単な説明】
【図１】本発明の一実施の形態にかかる通信装置を示す斜視図である。
【図２】本発明の一実施の形態にかかる取付部を示す斜視図である。
【図３】図２に示した取付部の分解図である。
【符号の説明】
１  通信装置
２  アンテナ収容部
３  通信機収容部
４  取付部
５  取付部本体
６  螺子
７  螺子穴
８  螺子穴
９  取付ボルト
１０  支持ポール
１１  開口部
１２  電柱
１３  固定部
１４  突出部
１５ａ、１５ｂ  固定部本体
１６  螺子
１７  螺子穴
１８  ナット
【図１】
2004201134.tif 000003
【図２】
2004201134.tif 000004
【図３】
2004201134.tif 000005